(57)【要約】【課題】大きさ（特に体積）が増えることなく、認識性能（特に視認性）が高い、報知手段を備えたハンディターミナルを提供することを目的とする。【解決手段】照明部を備える表示手段と、光学情報を読み取る光学情報読取手段、キー操作による入力手段、電池を備えた電源装置、情報を記憶する記憶手段、時刻設定手段及び外部と通信可能な通信手段のうち少なくともいずれか一つを備え、前記光学情報を読み取る光学情報読取手段、前記キー操作による入力手段、前記電池を備えた電源装置、前記情報を記憶する記憶手段、前記時刻設定手段及び前記外部と通信可能な通信手段のうち少なくともいずれか一つの動作が終了した後に前記照明部の表示状態を変化するように構成するものである。【選択図】  図１
2004157808.tif 000002
【特許請求の範囲】
【請求項１】
照明部を備える表示手段と、光学情報を読み取る光学情報読取手段、キー操作による入力手段、電池を備えた電源装置、情報を記憶する記憶手段、時刻設定手段及び外部と通信可能な通信手段のうち少なくともいずれか一つを備え、前記光学情報を読み取る光学情報読取手段、前記キー操作による入力手段、前記電池を備えた電源装置、前記情報を記憶する記憶手段、前記時刻設定手段及び前記外部と通信可能な通信手段のうち少なくともいずれか一つの動作が終了した後に前記照明部の表示状態を変化するように構成したハンディターミナル。
【請求項２】
照明部の表示状態の色を変化するように構成した請求項１記載のハンディターミナル。
【請求項３】
照明部の表示状態の明るさを変化するように構成した請求項１記載のハンディターミナル。
【請求項４】
照明部の表示状態の点灯面積を変化するように構成した請求項１記載のハンディターミナル。
【請求項５】
照明部の表示状態を点滅するように構成した請求項１記載のハンディターミナル。
【請求項６】
光学情報読取手段により読み取られた情報が正常に読み取られた時の情報と正常に読み取られていない時の情報とで照明部の表示状態を変化するように構成した請求項１記載のハンディターミナル。
【請求項７】
光学情報読取手段により読み取られた情報の内容によって照明部の表示状態を変化するように構成した請求項１記載のハンディターミナル。
【請求項８】
光学情報読取手段により読み取られた情報の種類によって照明部の表示状態を変化するように構成した請求項１記載のハンディターミナル。
【請求項９】
光学情報読取手段により読み取られた情報が１次元コードまたは２次元コードであって、前記情報が１次元コードである時と２次元コードである時とで照明部の表示状態を変化するように構成した請求項１記載のハンディターミナル。
【請求項１０】
入力手段から入力された情報があらかじめ決められたフォーマットと一致する時と異なる時とで照明部の表示状態を変化するように構成した請求項１記載のハンディターミナル。
【請求項１１】
電源装置に備える電池が充電中の時と充電完了の時とで照明部の表示状態を変化するように構成した請求項１記載のハンディターミナル。
【請求項１２】
電源装置に備える電池の残量容量または電圧により照明部の表示状態を変化するように構成した請求項１記載のハンディターミナル。
【請求項１３】
記憶手段の空容量が所望の容量でない時と所望の容量である時とで照明部の表示状態を変化するように構成した請求項１記載のハンディターミナル。
【請求項１４】
時刻設定手段により設定された時刻になると照明部の表示状態を変化するように構成した請求項１記載のハンディターミナル。
【請求項１５】
通信手段により受信した通信方式が所望の方式である時と所望の方式でない時とで照明部の表示状態を変化するように構成した請求項１記載のハンディターミナル。
【請求項１６】
通信手段によって受信した信号の強度が所望の強度である時と所望の強度でない時とで照明部の表示状態を変化するように構成した請求項１記載のハンディターミナル。
【請求項１７】
通信手段の通信データの通信速度が所望の速度である時と所望の速度でない時とで照明部の表示状態を変化するように構成した請求項１記載のハンディターミナル。
【請求項１８】
通信手段の通信データの誤り率が所望の誤り率である時と所望の誤り率でない時とで照明部の表示状態を変化するように構成した請求項１記載のハンディターミナル。
【請求項１９】
通信手段の通信が正常に行われた時と行われなかった時とで照明部の表示状態を変化するように構成した請求項１記載のハンディターミナル。
【請求項２０】
通信手段が通信データを受信している時と送信している時とで照明部の表示状態を変化するように構成した請求項１記載のハンディターミナル。
【請求項２１】
照明部がバックライト又はフロントライトで構成した請求請求項１ないし２０のいずれか一つに記載のハンディターミナル。
【発明の詳細な説明】
【０００１】
【発明の属する技術分野】
本発明は、ハンディターミナルに関するものである。
【０００２】
【従来の技術】
従来、例えばバーコドリーダラベルなどの読み取り対象に光を照射し、バーコードラベルからの反射光を受光してバーコードラベルの画像データであるバーコードデータを読み取るバーコードリーダが知られている。またバーコードの代わりに２次元コードを用いるものも知られている。
【０００３】
従来のハンディターミナルは、図２６に示すように、光学情報読取手段１００によって光学情報が読み取られ、情報が読み取られたことを視覚によって識別するために報知手段として３つのＬＥＤ１０１が用いられている。図２７に示すように、第１回目の情報が読み取られた場合にＬＥＤ１０１ａが点滅し、第２回目の情報が読み取られた場合にＬＥＤ１０１ｂが点滅し、第３回目の情報が読み取られた場合にＬＥＤ１０１ｃが点滅する（例えば特許文献１参照）。
【０００４】
上記の構成によって、それぞれの情報の読み取りが完了したことを使用者は視覚で認識することができる。また、読み取り完了をブザー音で知らせることやバイブレータ駆動によって知らせることも可能である。
【０００５】
【特許文献１】
特開２０００−３３９３９８号公報（第３−６頁、第３図）
【０００６】
【発明が解決しようとする課題】
しかしながら、上記従来の構成の報知手段として以下の課題があった。
【０００７】
認識ＬＥＤに関しては、認識ＬＥＤを複数配置する必要があり、または大面積のＬＥＤを配置することは、大きさが限られるハンディターミナルでは搭載困難であった。また、複数の認識ＬＥＤをハンディターミナルに搭載したとしても、１つ１つの認識ＬＥＤが小さくなるために視認性が欠けるという課題があった。さらに、暗い場所でハンディターミナルを使用してそれぞれの認識ＬＥＤの位置が把握できなかった場合、情報の読み取りが完了しているかを確認することができなかった。
【０００８】
ブザ―に関しては、騒々しい環境でハンディターミナルを使用した場合ブザーの音が聞こえにくいという課題があった。バイブレータに関しては、大きさ（特に体積）が大きく、大きさが限られるハンディターミナルでは、搭載困難であるという課題があった。
【０００９】
本発明は上記課題を解決するもので、大きさ（特に体積）が増えることなく、認識性能（特に視認性）が高い報知手段を備えたハンディターミナルを提供することを目的とする。
【００１０】
【課題を解決するための手段】
上記課題を解決するために本発明のハンディターミナルは、照明部を備える表示手段と、光学情報を読み取る光学情報読取手段、キー操作による入力手段、電池を備えた電源装置、情報を記憶する記憶手段、時刻設定手段及び外部と通信可能な通信手段のうち少なくともいずれか一つを備え、前記光学情報を読み取る光学情報読取手段、前記キー操作による入力手段、前記電池を備えた電源装置、前記情報を記憶する記憶手段、前記時刻設定手段及び前記外部と通信可能な通信手段のうち少なくともいずれか一つの動作が終了した後に前記照明部の表示状態を変化するように構成するものである。
【００１１】
上記構成によって、光学情報読取手段からの信号により照明部の表示状態を変化させることができる。
【００１２】
また、本発明のハンディターミナルは、入力手段から入力される情報により照明部の表示状態を変化させることができる。
【００１３】
さらに、本発明のハンディターミナルは、電源装置に備える電池の状態の変化により照明部の表示状態を変化させることができる。
【００１４】
さらに、本発明のハンディターミナルは、記憶手段の空容量により照明部の表示状態を変化させることができる。
【００１５】
さらに、本発明のハンディターミナルは、時刻設定手段により設定された時刻になると照明部の表示状態を変化させることができる。
【００１６】
さらに、本発明のハンディターミナルは、通信手段によって受信する情報や通信状態により照明部の表示状態を変化させることができる。
【００１７】
なお、照明部の表示状態は、照明部の色また明るさを変化させたり、表示する面積を変化させたり、点滅させることで変化させることができる。
【００１８】
このようにハンディターミナルの照明部の表示状態を変化させることで、操作者の視認性が高くなり認識性能を高めるハンディターミナルを提供する。
【００１９】
【発明の実施の形態】
上記の課題を解決するために本発明は、ハンディターミナルは、照明部を備える表示手段と、光学情報を読み取る光学情報読取手段、キー操作による入力手段、電池を備えた電源装置、情報を記憶する記憶手段、時刻設定手段及び外部と通信可能な通信手段のうち少なくともいずれか一つを備え、前記光学情報を読み取る光学情報読取手段、前記キー操作による入力手段、前記電池を備えた電源装置、前記情報を記憶する記憶手段、前記時刻設定手段及び前記外部と通信可能な通信手段のうち少なくともいずれか一つの動作が終了した後に前記照明部の表示状態を変化するように構成したハンディターミナルである。この発明によって、ハンディターミナルの照明部の表示状態を変化させることで、操作者の視認性が高くなり認識性能を高める。
【００２０】
また本発明は、照明部の表示状態の色、明るさまたは点灯面積を変化する、あるいは表示状態を点滅するように構成したハンディターミナルである。
【００２１】
また本発明は、光学情報読取手段により読み取られた情報の内容または種類であるいは情報が正常に読み込まれた否か、１次元コードであるか２次元コードであるかまたはあらかじめ決められたフォーマットであるか否かで表示状態を変化するように構成したハンディターミナルである。
【００２２】
また本発明は、電源装置に備える電池が充電中であるか否か、電池の残量容量または電圧により照明部の表示状態を変化するように構成したハンディターミナルである。
【００２３】
また本発明は、記憶手段の空容量が所望の容量であるか否かで照明部の表示状態を変化するように構成したハンディターミナルである。
【００２４】
また本発明は、時刻設定手段により設定された時刻になると照明部の表示状態を変化するように構成したハンディターミナルである。
【００２５】
また本発明は、通信手段により受信した通信方式が所望の方式であるか否か、通信手段により受信した信号の強度が所望の強度であるか否か、通信手段の通信データの誤り率が所望の誤り率であるか否か、通信手段の通信が正常に行われたか否かまたは通信手段が通信データを受信している時と送信している時で照明部の表示状態を変化するように構成したハンディターミナルである。
【００２６】
さらに本発明は、照明部がバックライト又はフロントライトで構成したハンディターミナルである。
【００２７】
以下本発明の実施の形態を図面を参照して説明する。
【００２８】
（実施の形態１）
図１に本発明の実施の形態１のハンディターミナルのブロック図を示す。図１において７は光学情報読取手段で本発明の実施の形態１では１次元コードと２次元コードが両方読み取り可能な光学情報読取手段を用いた。また、８は制御手段でＣＰＵやメモリなどで構成される。さらに、６は照明部を示し例えばＬＥＤなどが用いられ、２は表示手段を示し例えば液晶などが用いられ、照明部６は表示手段２と一体になっている。そして、以上のように構成されたハンディターミナルは光学情報読取手段７により光学情報を読み取る動作が終了した後に照明部６の表示状態が変化することとなる。
【００２９】
以上のように構成されたハンディターミナルについて、その動作を詳細に説明する。図２から図９は、本発明の実施の形態１のハンディターミナルの動作を示す。
【００３０】
図２では、バーコードの読取１２０を行うと照明部６としてバックライトを点灯１２１させ、タイマ（図示せず）などにより設定された時間が経過後、バックライトを消灯１２２させる。なお、バーコードの読取１２０は光学情報読取手段７で行われる。
【００３１】
また、図３に示すように、バックライトを点滅させても構わない。図３の例では、読取１３０が行われると、バックライトを点滅１３１させ、タイマ（図示せず）などにより設定された時間が経過後、バックライトを消灯１３２させる。なお、点滅周期を予め設定し、状況に応じて点滅周期を変更させるようにしても構わない。
【００３２】
また、図４に示すように、読み取ったときにバックライトの点灯面積を変更させるようにしても構わない。図４の例では、通常バックライト右側を点灯１４０しておき、読取１４１が行われると、バックライト左側を点灯１４２させることにより全面点灯とし、タイマ（図示せず）などにより設定された時間が経過後、バックライト左側を消灯１４３させる。なお、バックライトの右左に関係はなく上下であっても構わないし、それ以外の場所でも点灯面積が変更すれば構わないことは言うまでもない。
【００３３】
また、図５に示すように読み取ったときにバックライトの照明の色を変更させるようにしても構わない。図５の例では、通常バックライトのＡ色を点灯１５０させておき、読取１５１が行われると、バックライトのＡ色を消灯１５２したのち、直ちにバックライトのＢ色を点灯１５３させ、タイマ（図示せず）などにより設定された時間が経過後、バックライトのＢ色を消灯１５４させる。なお、バックライトのＡ色を消灯１５２を行わずにバックライトのＢ色を点灯１５３することにより、バックライトの色をＡ色＋Ｂ色とすることも可能である。
【００３４】
また、図６に示すように光学情報読取手段７により読み取られた情報が正常に読み取られた時の情報と正常に読み取られていない時の情報とでバックライトの照明の色を変更させるようにしても構わない。図６の例では、読取１６０が行われ、読取結果１６１が正常であればバックライトのＡ色を点灯１６２させ、タイマ（図示せず）などにより設定された時間が経過後、バックライトのＡ色を消灯１６４させる。読取結果１６１が正常でなければバックライトのＢ色を点灯１６３させ、タイマ（図示せず）などにより設定された時間が経過後、バックライトのＢ色を消灯１６５させる。これによって、操作者は読取１６０での読取が正常に行われたか否かをバックライトの色の違いにより視覚で容易に認識することができる。
【００３５】
また、図７に示すように予め設定された読取内容と、読み取った情報の内容が一致したときと一致しなかった時とでバックライトの照明の色を変更させるようにしても構わない。図７の例では、読取内容を予め設定１７０しておき、読取１７１を行い、読取結果１７２の情報の内容が予め設定された内容に一致したときバックライトのＡ色を点灯１７３させ、タイマ（図示せず）などにより設定された時間が経過後、バックライトのＡ色を消灯１７５させる。なお、読取結果１７２の内容が予め設定された内容に一致しなかったときはバックライトのＢ色を点灯１７４させ、タイマ（図示せず）などにより設定された時間が経過後、バックライトのＢ色を消灯１７５させる。予め設定された内容との一致とは、内容の一部が一致したときとしても構わないし、内容全部が一致したときとしても構わない。読取内容の設定１７０は、図１の制御部８の中に読取内容設定部（図示せず）を設けることにより実現することができる。これによって、操作者は読取１７１で読み取られた情報の内容があらかじめ設定された内容と一致するか否かをバックライトの色の違いにより視覚で容易に認識することができる。
【００３６】
また、図８に示すように光学情報の種類であるコード種別を予め設定し、読み取った情報のコード種別が一致したときと一致しなかった時とでバックライトの照明の色を変更させるようにしても構わない。図８の例では、コード種別を予め設定１８０しておき、読取１８１が行われ、読取結果１８２の情報が予め設定されたコード種別に一致したときバックライトのＡ色を点灯１８３させ、タイマ（図示せず）などにより設定された時間が経過後、バックライトのＡ色を消灯１８５させる。読取結果１８２の情報が予め設定されたコード種別に一致しなかったときはバックライトのＢ色を点灯１８４させ、タイマ（図示せず）などにより設定された時間が経過後、バックライトのＢ色を消灯１８６させる。コード種別の設定１８０は、図１の制御部８の中にコード種別設定部（図示せず）を設けることにより実現する。これによって、操作者は読取１８１で読み取られた情報のコードの種別があらかじめ設定されたコード種別と一致するか否かをバックライトの色の違いにより視覚で容易に認識することができる。
【００３７】
また、図９に示すように読み取った情報のコードが１次元コードのときと、２次元コードのときとでバックライトの照明の色を変更させるようにしても構わない。図９の例では、読取１９０が行われ、読取結果１９１の情報が２次元コードのときバックライトのＡ色を点灯１９２させ、タイマ（図示せず）などにより設定された時間が経過後、バックライトのＡ色を消灯１９４させる。読取結果１９１の情報が１次元コードのときは、バックライトのＢ色を点灯１９３させ、タイマ（図示せず）などにより設定された時間が経過後、バックライトのＢ色を消灯１９５させる。これによって、操作者は読取１９０で読み取られた情報のコードが１次元コードであるか２次元コードであるかをバックライトの色の違いにより視覚で容易に認識することができる。
【００３８】
なお、図６から図９のバックライトの消灯は、タイマなどの時間経過以外にも、例えば読取が行われた後に、バックライトを消灯しても構わない。
【００３９】
以上のように、光学情報読取手段７によって読み取られた情報によってバックライトの色を変化させることで操作者の視認性が高くなり、読取の確認を容易に行うことができる。特に夜間や暗所での作業の場合、従来においては設定によりバックライトを表示手段２の照明用として点灯させていたが、本発明は読取後バックライトの色を変化させることにより読取の確認を容易に行うことができる。
【００４０】
また、読取を行った後に、バックライトの明るさを変更させることによっても、操作者の視認性が高くなり、読取の確認を容易に行うことができる。
【００４１】
また、読取を行った後に、バックライトを点滅させることによっても、操作者の視認性が高くなり、読取の確認を容易に行うことができる。
【００４２】
また、読取を行った後に、バックライトの点灯面積を変更させることによっても、操作者の視認性が高くなり、読取の確認を容易に行うことができる。
【００４３】
また、読取前にはバックライトが点灯しており、さらに読取を行った後にバックライトの色を変化させることによっても、操作者の視認性が高くなり、読取の確認を容易に行うことができる。
【００４４】
また、読取を行った後に、読み取った内容によりバックライトの色を変化させることにより、読み取ったコードが正しいものか、誤ったものかどうかのチェックが容易に行える。例えば、必ずコードの先頭に「１」をつけたラベルを商品に貼り付け、読取内容設定１７０でコードの先頭を「１」に設定する。読取の結果、コードの先頭が「１」以外の数字もしくは文字のラベルを読み取ったとき、もしくはラベルのコードの先頭が「１」にも関わらず読取結果が「１」以外の数字もしくは文字の場合、バックライトのＢ色が点灯することにより、誤って読み取ることを防ぐことができる。
【００４５】
また、読取を行った後に、読み取ったコード種類によりバックライトの色を変化させることにより、読み取ったコード種類が、正しいものか、誤ったものかどうかのチェックが容易に行える。例えば、１次元コードとして、「ＣＯＤＥ３９」をコード種別設定しているときに、「ＣＯＤＥ３９」を正しく読んでいればバックライトのＡ色が点灯するが、例えば「ＮＷ７」のラベルを誤って読み取ったとき、もしくは「ＣＯＤＥ３９」のラベルを読み取っているにも関わらず読取結果が誤って「ＮＷ７」になった場合、バックライトのＢ色が点灯することにより、誤って読み取ることを防ぐことができる。なお、コードの種別は、図９に示すように１次元コードと２次元コードの２種類の種別であっても構わない。
【００４６】
なお、本発明の実施の形態１では、照明部６としてバックライトを使用したが、フロントライトを用いた場合にも適用されることは言うまでもない。また、本発明の実施の形態１では、ハンディターミナルの操作性を高めるためにバックライトの色を変化させたが、バックライトの明るさまたは点灯面積を変化させたり、バックライトを点滅させたりすることも可能である。
【００４７】
（実施の形態２）
図１０に本発明の実施の形態２のハンディターミナルのブロック図を示す。図１０において７は光学情報読取手段で本発明の実施の形態２では１次元コードと２次元コードが両方読み取り可能な光学情報読取手段を用いた。また、８は制御手段でＣＰＵやメモリなどで構成され、フォーマット設定部９を備える。さらに、６は照明部、２は表示手段を示し照明部６は表示手段２と一体になっている。１は入力手段を示しキー操作で入力する構成を有す。そして、以上のように構成されたハンディターミナルは入力手段１による動作が終了した後に照明部６の表示状態が変化することとなる。
【００４８】
以上のように構成されたハンディターミナルについて、その動作を詳細に説明する。図１１は、本発明の実施の形態２のハンディターミナルの動作を示す。
【００４９】
通常、照明部６としてバックライトのＡ色を点灯２００し、キーで構成された入力手段１から入力されるキーのフォーマット設定２０１を行う。ここで述べるキーのフォーマット設定とは、例えば数字、英数字、英文字、英子文字、英大文字、カナ、ひらがな等、入力可能な文字の種類の設定を行うことである。
【００５０】
入力手段１により入力２０２された文字情報の確認２０３を行い、フォーマットが一致した場合、そのままのバックライトのＡ色を点灯２０５させ、次の処理に移る。本実施の形態２では次の処理は読取２０６とした。フォーマットが一致しなかった場合、バックライトの色がＢ色に変化２０４し、再度入力２０２に戻り、正しいフォーマットの文字が入力されるまで繰り返される。これによって、操作者は入力手段１により入力された情報があらかじめ設定されたフォーマットと一致するか否かをバックライトの色の違いにより視覚で容易に確認することができ、入力手段１により入力された情報のフォーマットが設定されたフォーマットと異なった場合に正しいフォーマットの入力を視覚を通じ促すことができる。
【００５１】
なお、入力確認２０３でフォーマット不一致の場合、バックライトのＡ色の消灯を行った後にバックライトのＢ色を点灯２０４しても、バックライトのＡ色の消灯を行わずにバックライトのＢ色を点灯２０４することにより、照明部６の色をＡ色＋Ｂ色とすることも可能である。
【００５２】
以上のように、入力されるキーのフォーマットを予め決められたフォーマットであるかどうか確認し、入力された情報がフォーマット以外の文字であればバックライトの色を変化させることにより、操作者は入力したキーが誤った場合にその誤りを瞬時に視覚で確認することができるため操作性が向上する。
【００５３】
なお、本発明の実施の形態２では、照明部６としてバックライトを使用したが、フロントライトを用いた場合にも適用されることは言うまでもない。また、本発明の実施の形態２では、ハンディターミナルの操作性を高めるためにバックライトの色を変化させたが、バックライトの明るさまたは点灯面積を変化させたり、バックライトを点滅させたりすることも可能である。
【００５４】
（実施の形態３）
図１２に本発明の実施の形態３のハンディターミナルのブロック図を示す。図１２において７は光学情報読取手段で本発明の実施の形態３では１次元コードと２次元コードが両方読み取り可能な光学情報読取手段を用いた。また、８は制御手段でＣＰＵやメモリなどで構成される。さらに、６は照明部、２は表示手段を示し照明部６は表示手段２と一体になっている。１０は電圧検出部でコンパレータにより構成され制御手段８に備えられる。１１は電源装置で、充電可能な２次電池と充電部１２とで構成される。そして、以上のように構成されたハンディターミナルは電池を備えた電源装置１１による動作が終了した後に照明部６の表示状態が変化することとなる。
【００５５】
以上のように構成されたハンディターミナルについて、その動作を説明する。図１３と図１４は本発明の実施の形態３のハンディターミナルの動作を示す。
【００５６】
図１３では、充電開始後、照明部６としてバックライトのＡ色を点灯２１０させ、電圧検出部１０により電源装置１１に備える電池の電圧チェック２１１を行い充電が終了したかどうか判断する。そして、充電が終了した場合にバックライトのＢ色を点灯２１２させる。ここでは、電圧をチェックする方法で充電の完了を判断したが、充電時間や充電電流、電池の温度などにより判断しても構わない。これによって、充電中かどうか判断し充電終了したときにバックライトの色を変化させることにより、充電が終了したことを視覚で容易に操作者に知らせることができる。
【００５７】
図１４では、通常バックライトのＡ色を点灯２２０させ、読取２２１によって情報の読み取りをしている間もしくは終了後、電源装置１１に備える電池の電圧チェック２２２を行い、電圧値が規定値未満であればバックライトのＢ色を点灯２２３させる。なお、図１４の処理を行うときには図１２のブロッック図で示した電源装置１１のなかに充電部１２があってもなくても、２次電池の代わりに１次電池であっても構わない。さらに処理の一例として読取２２１を記述したが、例えば通信など他の処理でも構わないことは言うまでもない。また電池の電圧チェックの代わりに消費電流と使用時間から電池の残量容量をチェックしても構わない。これによって、電圧チェックを行い、電圧値が規定値未満であればバックライトのＢ色を点灯２２３させることにより、バッテリの残量が少なくなったことを視覚で容易に操作者に知らせることができ、操作者は電池を充電するか、電池の電圧（電池の残量容量）が十分にある電池に交換することにより、電池切れのトラブルを未然に防ぐことができる。
【００５８】
なお、本発明の実施の形態３では、照明部６としてバックライトを使用したが、フロントライトを用いた場合にも適用されることは言うまでもない。また、本発明の実施の形態３では、ハンディターミナルの操作性を高めるためにバックライトの色を変化させたが、バックライトの明るさまたは点灯面積を変化させたり、バックライトを点滅させたりすることも可能である。
【００５９】
（実施の形態４）
図１５に本発明の実施の形態４のハンディターミナルのブロック図を示す。図１５において７は光学情報読取手段で本発明の実施の形態４では１次元コードと２次元コードが両方読み取り可能な光学情報読取手段を用いた。また、８は制御手段でメモリで構成された記憶手段１３を備える。そして、記憶手段１３のメモリの空き容量を検出する容量検出部を制御手段８に備える。さらに、６は照明部、２は表示手段を示し照明部６は表示手段２と一体になっている。そして、以上のように構成されたハンディターミナルは記憶手段１３による動作が終了した後に照明部６の表示状態が変化することとなる。
【００６０】
以上のように構成されたハンディターミナルについて、その動作を詳細に説明する。図１６は本発明の実施の形態４のハンディターミナルの動作を示す。
【００６１】
図１６では、照明部６としてバックライトのＡ色を点灯２３０させ、記憶手段１３で所望の空き容量の設定２３１を行い、読取２３２を行った後、記憶部１３の空き容量をチェック２３３し、空き容量の設定２３１で設定された空き容量未満となった場合、バックライトのＢ色を点灯２３４させる。
【００６２】
なお、図１６では処理の一例として読取２３２を記述したが、例えば通信など他の処理でも構わないことは言うまでもない。さらにバックライトのＡ色の点灯２３０と空き容量の設定２３１の順序はどちらが先でも構わないことは言うまでもない。
【００６３】
以上のように、記憶手段１３の空き容量をチェックし、空き容量が少ない場合はバックライトの色を変化させることにより、空き容量が少ないことを視覚で容易に操作者に知らせることができることにより、記憶部１３の内容をＰＣなどのホスト（図示せず）へ転送することにより空き容量を増やし、空き容量不足によるトラブルを未然に防ぐことができる。
【００６４】
なお、本発明の実施の形態４では、照明部６としてバックライトを使用したが、フロントライトを用いた場合にも適用されることは言うまでもない。また、本発明の実施の形態４では、ハンディターミナルの操作性を高めるためにバックライトの色を変化させたが、バックライトの明るさまたは点灯面積を変化させたり、バックライトを点滅させたりすることも可能である。
【００６５】
（実施の形態５）
図１７に本発明の実施の形態５のハンディターミナルのブロック図を示す。図１５において７は光学情報読取手段で本発明の実施の形態では１次元コードと２次元コードが両方読み取り可能な光学情報読取手段を用いた。また、８は制御手段でＣＰＵやメモリなどで構成され、現在時刻ならびにアラーム時刻を設定する時刻設定手段１５と時計１６を備える。さらに、６は照明部、２は表示手段を示し照明部６は表示手段２と一体になっている。そして、以上のように構成されたハンディターミナルは時刻設定手段１５による動作が終了した後に照明部６の表示状態が変化することとなる。
【００６６】
以上のように構成されたハンディターミナルについて、その動作を説明する。図１８は本発明の実施の形態５のハンディターミナルの動作を示す。
【００６７】
照明部６としてバックライトのＡ色を点灯２４０させ、時刻設定手段１５によりアラーム時刻の設定２４１を行い、読取２４２を行った後、現在時刻とアラーム時刻をチェックし２４３、時刻設定２４１で設定されたアラーム時刻に到達した場合、バックライトのＢ色を点灯２４４させる。
【００６８】
なお、図１８では処理の一例として読取２４２を記述したが、例えば通信など他の処理でも構わないことは言うまでもない。また読取２４２を行った後、現在時刻とアラーム時刻をチェック２４３したが、現在時刻がアラーム時刻に到達したときに、時計１６からの割り込み信号を発生させる構成とすることにより、読取２４２等の処理の途中にバックライトのＢ色を点灯２４４させても構わない。さらにバックライトのＡ色を点灯２４０とアラーム時刻の設定２４１の順序はどちらが先でも構わないことは言うまでもない。
【００６９】
以上のように、現在時刻と設定されたアラーム時刻をチェックし、設定時刻に到達したときにバックライトのＢ色を点灯２４４させることにより、時刻ならびに時間の超過などを視覚で容易に操作者に知らせることができ時刻の超過や時間切れによるトラブルを未然に防ぐことができる。
【００７０】
なお、本発明の実施の形態５では、照明部６としてバックライトを使用したが、フロントライトを用いた場合にも適用されることは言うまでもない。また、本発明の実施の形態５では、ハンディターミナルの操作性を高めるためにバックライトの色を変化させたが、バックライトの明るさまたは点灯面積を変化させたり、バックライトを点滅させたりすることも可能である。
【００７１】
（実施の形態６）
図１９に本発明の実施の形態６のハンディターミナルのブロック図を示す。図１９において７はハンディターミナルで本発明の実施の形態６では１次元コードと２次元コードが両方読み取り可能な光学情報読取手段を用いた。また、８は制御手段でＣＰＵやメモリなどで構成される。さらに、６は照明部、２は表示手段を示し照明部６は表示手段２と一体になっている。１７は通信手段で、ハンディターミナルとＰＣなどのホストとの通信を無線または有線で行う。そして、以上のように構成されたハンディターミナルは通信手段１７による動作が終了した後に照明部６の表示状態が変化することとなる。
【００７２】
以上のように構成されたハンディターミナルについて、その動作を詳細に説明する。図２０から図２５は本発明の実施の形態６のハンディターミナルの動作を示す。
【００７３】
図２０では、通信手段１７の通信方式の設定２５０を行い、例えば所望の通信方式としてＰＨＳ無線方式を設定した場合、バックライトのＡ色を点灯２５１し、ＳＳ無線方式を設定した場合、照明部６としてバックライトのＢ色を点灯２５２させる。ここで、通信方式の設定２５０は、ハンディターミナルに１種類の通信手段１７を搭載している場合にはその無線部の種類を設定し、複数種類の通信手段１７を搭載している場合には、操作者が選択した通信手段１７を設定しても構わないし、電波状況などの環境に応じて自動的に切り換えるようにしても構わない。これによって、設定された通信方式毎でバックライトの色を変えることにより、操作者は通信の種類を視覚で容易に認識することができる。通信方式により使用できる環境や、公衆回線接続の場合無線の使用料金が異なるため、例えば２種類の通信方式が使用できる環境では、より感度の良い通信方式であるかまたはより使用料金の安い通信方式を選択しているかを容易に確認することができ、通信状態の最適化または通信コストを抑えることができる。
【００７４】
また図２１では、制御手段８で通信手段１７で受信する電波の強度の設定２６０を行った後、通信手段１７によって受信する電波の強度の測定２６１を行う。そして、測定結果２６２の電波強度が設定した強度よりも強い場合はバックライトのＡ色を点灯２６３し、電波強度が設定した強度よりも弱い場合はバックライトのＢ色を点灯２６４する。これによって、操作者は通信手段１７で受信する電波強度が設定された強度より強いか否かをバックライトの色の違いにより視覚で容易に認識することができ、操作者が電波が弱いと認識した場合、電波の強い位置に移動することにより電波が途切れるトラブルを防ぐことができる。
【００７５】
また図２２では、制御手段８で通信データの所望の通信速度の設定２７０を行い、例えば通信速度を１１ＭＨｚに設定した場合はバックライトのＡ色を点灯２７１し、５．５ＭＨｚに通信速度を設定した場合はバックライトのＢ色を点灯２７２する。通信速度の設定は、操作者が手動で設定しても構わないし、電波状況などの環境に応じて自動的に切り換えるようにしても構わない。これによって、設定された通信データの通信速度毎でバックライトの色を変えることにより、操作者は通信データの通信速度を視覚で容易に認識することができ、一般に通信速度を遅くした方が通信可能な距離が長くなるため、操作者は通信距離が短い場合は通信速度を速くし、通信距離が長い場合は通信速度を遅く設定することにより、電波が途切れるトラブルを防ぐことができる。
【００７６】
また図２３では、まず所望の通信データの誤り率の値を設定し、通信データの誤り率の測定２８０を行い、誤り率が設定値未満であった場合、バックライトのＡ色を点灯２８２し、誤り率が設定値以上であった場合、バックライトのＢ色を点灯２８３する。これよって、操作者は通信データの誤り率の値が設定値より大きいか小さいかをバックライトの色の違いにより視覚で容易に認識することができ、操作者が誤り率が高いと認識した場合、誤り率の低い場所に移動することにより電波が途切れるトラブルを防ぐことができる。
【００７７】
また図２４では、ハンディターミナルが通信データの送信２９０をＰＣなどホストに行い、ＰＣなどのホストが受信したデータと同じデータをホストが送信し、ハンディターミナルが通信データの受信２９１を行う。受信データの受信結果のチェック２９２を行い、データ送信２９０で送信したデータと同じであればＯＫとしてバックライトのＡ色を点灯２９３し、送信データと異なればＮＧとしてバックライトのＢ色を点灯２９４する。このような、送信と受信を使用した確認を、送信毎に行っても構わないし、電源投入時のみ行っても構わないし、キー設定等により行っても構わない。これによって、データの送信と受信を行い、受信データが送信データと異なればバックライトの色を変えることにより、通信が正常に行われたか否かを操作者は視覚で容易に認識することができ、通信が正常に行われなかった場合、操作者が再送信を行うか、データ送信とデータ受信が同じになるような良好な電波環境の場所に移動することにより電波が途切れるトラブルを防ぐことができる。
【００７８】
また図２５では、光学情報読取手段７によって情報の読取３００後に、読み取った情報をデータとして送信３０１する際に、バックライトのＡ色を点灯３０２し、データの送信が終了３０３すると、バックライトのＡ色を消灯３０４する。送信データに対するレスポンスとして、データを受信３０５した場合、バックライトのＢ色を点灯３０６し、データの受信が終了３０７すると、バックライトのＢ色を消灯３０８する。また図２５の例では、データの受信３０５は、データ送信３０１に対するレスポンスの例として、データ送信３０１の後段に記載したが、データの送信３０１とは関係なくデータ受信３０５した場合でも、同様の動作をさせても構わない。これによって、データの送信とデータの受信とでバックライトの色を変えることにより、操作者にデータの送信を行っているか、受信を行っているかを視覚で容易に認識することができ、通信に異常があった場合、送信系の不具合なのか、受信系の不具合なのかを、簡易的に切り分けすることが可能になり、不具合からの復帰が早くなる。
【００７９】
なお、本発明の実施の形態６では、照明部６としてバックライトを使用したが、フロントライトを用いた場合にも適用されることは言うまでもない。また、本発明の実施の形態６では、通信手段１７として無線方式を用いているが有線方式を用いた場合にも適用されることは言うまでもない。さらに、本発明の実施の形態６では、ハンディターミナルの操作性を高めるためにバックライトの色を変化させたが、バックライトの明るさまたは点灯面積を変化させたり、バックライトを点灯させたりすることも可能である。
【００８０】
【発明の効果】
以上の説明から明らかなように、光学情報を読み取る光学情報読取手段、キー操作による入力手段、電池を備えた電源装置、情報を記憶する記憶手段、時刻設定手段及び外部と通信可能な通信手段のうち少なくともいずれか一つの動作が終了した後に、照明部６の表示状態を変化させることにより、操作者の視認性が高くなり、読取の確認を容易に行うことができるハンディターミナルを提供する。
【図面の簡単な説明】
【図１】本発明の実施の形態１におけるハンディターミナルのブロック図
【図２】本発明の実施の形態１におけるハンディターミナルの処理の流れ図
【図３】本発明の実施の形態１におけるハンディターミナルの処理の流れ図
【図４】本発明の実施の形態１におけるハンディターミナルの処理の流れ図
【図５】本発明の実施の形態１におけるハンディターミナルの処理の流れ図
【図６】本発明の実施の形態１におけるハンディターミナルの処理の流れ図
【図７】本発明の実施の形態１におけるハンディターミナルの処理の流れ図
【図８】本発明の実施の形態１におけるハンディターミナルの処理の流れ図
【図９】本発明の実施の形態１におけるハンディターミナルの処理の流れ図
【図１０】本発明の実施の形態２におけるハンディターミナルのブロック図
【図１１】本発明の実施の形態２におけるハンディターミナルの処理の流れ図
【図１２】本発明の実施の形態３におけるハンディターミナルのブロック図
【図１３】本発明の実施の形態３におけるハンディターミナルの処理の流れ図
【図１４】本発明の実施の形態３におけるハンディターミナルの処理の流れ図
【図１５】本発明の実施の形態４におけるハンディターミナルのブロック図
【図１６】本発明の実施の形態４におけるハンディターミナルの処理の流れ図
【図１７】本発明の実施の形態５におけるハンディターミナルのブロック図
【図１８】本発明の実施の形態５におけるハンディターミナルの処理の流れ図
【図１９】本発明の実施の形態５におけるハンディターミナルのブロック図
【図２０】本発明の実施の形態６におけるハンディターミナルの処理の流れ図
【図２１】本発明の実施の形態６におけるハンディターミナルの処理の流れ図
【図２２】本発明の実施の形態６におけるハンディターミナルの処理の流れ図
【図２３】本発明の実施の形態６におけるハンディターミナルの処理の流れ図
【図２４】本発明の実施の形態６におけるハンディターミナルの処理の流れ図
【図２５】本発明の実施の形態６におけるハンディターミナルの処理の流れ図
【図２６】従来のハンディターミナルの構成図
【図２７】従来例のＬＥＤ点灯・消滅制御を示す説明図
【符号の説明】
１  入力手段
２  表示手段
６  照明部
７  光学情報読取手段
８  制御手段
９  フォーマット設定手段
１０  電圧検出部
１１  電源装置
１２  充電部
１３  記憶手段
１５  時刻設定手段
１７  通信手段
【図１】
2004157808.tif 000003
【図２】
2004157808.tif 000004
【図３】
2004157808.tif 000005
【図４】
2004157808.tif 000006
【図５】
2004157808.tif 000007
【図６】
2004157808.tif 000008
【図７】
2004157808.tif 000009
【図８】
2004157808.tif 000010
【図９】
2004157808.tif 000011
【図１０】
2004157808.tif 000012
【図１１】
2004157808.tif 000013
【図１２】
2004157808.tif 000014
【図１３】
2004157808.tif 000015
【図１４】
2004157808.tif 000016
【図１５】
2004157808.tif 000017
【図１６】
2004157808.tif 000018
【図１７】
2004157808.tif 000019
【図１８】
2004157808.tif 000020
【図１９】
2004157808.tif 000021
【図２０】
2004157808.tif 000022
【図２１】
2004157808.tif 000023
【図２２】
2004157808.tif 000024
【図２３】
2004157808.tif 000025
【図２４】
2004157808.tif 000026
【図２５】
2004157808.tif 000027
【図２６】
2004157808.tif 000028
【図２７】
2004157808.tif 000029